(57)【特許請求の範囲】
【請求項１】
給水管と、測水座と、検出蓋とからなる便器タンク漏水検出装置であって、
前記給水管は、便器タンクに連通する管体であり、且つ、その上に、測水座を装着し、
前記測水座は、座体、流動室、進水口、出水口、軸棒とスリーブから構成され、前記座体上に、前記流動室を設置し、前記流動室の両側には、それぞれ、前記進水口と前記出水口は前記座体に前記流動室を通過する水流がＳ字形状を形成するような位置に形成され、前記進水口と前記出水口は、それぞれ前記給水管に接続され、且つ、前記流動室の入口に近い位置には、入口導水ブロックを突出させ、前記入口口径を妨げ、水源の流動速度を増強する効果を有し、前記入口導水ブロックは、前記流動室の内壁方向に傾斜し、前記流動室の出口に近い位置に、出口導水ブロックを突出させ、前記出口導水ブロックは、前記出水口の内壁方向に傾斜し、前記流動室中央部には前記軸棒を設置し、前記軸棒上に前記スリーブを設置し、前記スリーブの外壁周囲は、数個の葉状片体を環状に設置し、且つ、前記スリーブの頂部は駆動ギアを設置し、前記駆動ギアは、検出蓋のギア室中に進入し、
前記検出蓋は、蓋体、ギア室、ギアユニットと旋回素子から構成され、前記蓋体は前記座体上に設置され、且つ、前記蓋体内部は、前記ギア室を形成し、前記ギア室中は前記ギアユニットを枢設し、前記ギアユニットの一側と前記駆動ギアは噛合し、前記ギアユニットのもう一側は前記旋回素子を結合し、前記旋回素子は、前記蓋体の頂面に枢設されることを特徴とする便器タンク漏水検出装置。
【請求項２】
前記検出蓋のギア室内部に、電子センサーユニットを設置し、前記電子センサーユニットは、さらに、前記ギア室内部の警報装置と接続され、前記警報装置は警報器を接続することを特徴とする請求項１に記載の便器タンク漏水検出装置。
【請求項３】
前記警報装置は、無線連結方式により、携帯端末に連結されることを特徴とする請求項２に記載の便器タンク漏水検出装置。
【請求項４】
前記検出蓋の前記旋回素子は、蛍光材質で形成、あるいは、前記旋回素子の外表面に蛍光剤の塗布層を有することを特徴とする請求項１に記載の便器タンク漏水検出装置。
【請求項５】
前記検出蓋の前記蓋体頂面は透光板を設置して、前記旋回素子が、前記蓋体と前記透光板の間で封閉されることを特徴とする請求項１に記載の便器タンク漏水検出装置。
【発明の詳細な説明】
【技術分野】
【０００１】
本発明は、便器タンク漏水検出装置に関するものであって、さらに詳しくは、便器が水漏れしていないかどうかを検出する検出装置に関するものである。
【背景技術】
【０００２】
従来の便器設備は、パイプを接続して、水を輸送しているが、長期使用や設備老化の状況下で、便器が水漏れすることがある。この漏水は、通常、パイプ接続箇所の隙間の破損、ゴムの止水材質の老化によるものであり、水漏れが微量であるとき、使用者に発見されにくく、水源を浪費させるという問題がある。
【発明の概要】
【発明が解決しようとする課題】
【０００３】
従って、本発明の課題は、便器の水漏れが発見しやすい便器タンクの漏水検出装置を提供することにある。
【課題を解決するための手段】
【０００４】
そこで、本発明者は、前記の本発明の課題を解決するため、鋭意検討を重ねた結果、下記の通りの便器タンク漏水検出装置が前記課題を解決できることに着目し、かかる知見に基いて本発明を想到するに至った。
【０００５】
すなわち、上述の課題を達成するため、本発明の便器タンク漏水検出装置は、給水管、測水座、および、検出蓋から構成される。給水管は、便器タンクに連通する管体で、且つ、給水管上に、測水座を装着する。測水座は、座体、流動室、進水口、出水口、軸棒とスリーブから構成される。座体上に流動室を形成し、流動室の両側は、それぞれ、進水口と出水口を座体上に形成し、進水口と出水口は、給水管上に接続され、且つ、流動室の入口近くの位置は、入口導水ブロックが突出しており、入口の口径が妨げられて、水源流動速度を増強する効果を有し、流動室の出口に近い位置は、出口導水ブロックが突出している。流動室中央部には軸棒を設置し、軸棒上はスリーブを設置し、スリーブの外壁周囲は、数個の葉状片体を環状に設置し、且つ、スリーブの頂部は、駆動ギアを設置する。駆動ギアは、検出蓋のギア室中に進入し、検出蓋は、主に、蓋体、ギア室、ギアユニットと旋回素子で構成される。蓋体は座体上に装着され、且つ、蓋体内部は、ギア室を形成し、ギア室中に、ギアユニットを枢設し、ギアユニットの一側が駆動ギアと噛合する。ギアユニットのもう一側は、旋回素子を結合し、旋回素子は、蓋体の頂面に枢設されるので、構造は、微量の水源が、出口導水ブロックを有する進水口を通過する時、入口導水ブロックは、進水口の入口口径を妨げる効果があるので、微量の水流を、さらに強い水流にして、流動室に注入し、水流がさらに円滑に、数個の葉状片体を推動する效果を達成し、且つ、スリーブの数個の葉状片体が回転を受けるとき、蓋体上の旋回素子を回転させて、これにより、旋回素子旋転の動作を利用して、便器の水漏れをわかりやすくする。
かくして、本発明の要旨は、次の通りである。
【０００６】
（１）給水管と、測水座と、検出蓋とからなる便器タンク漏水検出装置であって、
前記給水管は、便器タンクに連通する管体であり、且つ、その上に、測水座を装着し、
前記測水座は、座体、流動室、進水口、出水口、軸棒とスリーブから構成され、前記座体上に、前記流動室を設置し、前記流動室の両側は、それぞれ、前記進水口と前記出水口を、前記座体上に形成し、前記進水口と前記出水口は、前記給水管上に接続され、且つ、前記流動室の入口に近い位置は、入口導水ブロックを突出して、前記入口口径を妨げ、水源の流動速度を増強する効果を有し、前記入口導水ブロックは、前記流動室の内壁方向に傾斜し、前記流動室の出口に近い位置に、出口導水ブロックを突出し、前記出口導水ブロックは、前記出水口の内壁方向に傾斜し、前記流動室中央部には前記軸棒を設置し、前記軸棒上に前記スリーブを設置し、前記スリーブの外壁周囲は、数個の葉状片体を環状に設置し、且つ、前記スリーブの頂部は駆動ギアを設置し、前記駆動ギアは、検出蓋のギア室中に進入し、
前記検出蓋は、蓋体、ギア室、ギアユニットと旋回素子から構成され、前記蓋体は前記座体上に設置され、且つ、前記蓋体内部は、前記ギア室を形成し、前記ギア室中は前記ギアユニットを枢設し、前記ギアユニットの一側と前記駆動ギアは噛合し、前記ギアユニットのもう一側は前記旋回素子を結合し、前記旋回素子は、前記蓋体の頂面に枢設されることを特徴とする便器タンク漏水検出装置。
【０００７】
（２）前記検出蓋のギア室内部に、電子センサーユニットを設置し、前記電子センサーユニットは、さらに、前記ギア室内部の警報装置と接続され、前記警報装置は警報器を接続することを特徴とする前記（１）に記載の便器タンク漏水検出装置。
【０００８】
（３）前記警報装置は、無線連結方式により、携帯端末に連結されることを特徴とする前記（２）に記載の便器タンク漏水検出装置。
【０００９】
（４）前記検出蓋の前記旋回素子は、蛍光材質で形成、あるいは、前記旋回素子の外表面に蛍光剤の塗布層を有することを特徴とする前記（１）に記載の便器タンク漏水検出装置。
【００１０】
（５）前記検出蓋の前記蓋体頂面は透光板を設置して、前記旋回素子が、前記蓋体と前記透光板の間で封閉されることを特徴とする前記（１）に記載の便器タンク漏水検出装置。
【発明の効果】
【００１１】
本発明は、前記の通りの構成からなるものであり、後述のように、便器の水漏れの発見が容易な漏水検出装置を提供することができる。
【図面の簡単な説明】
【００１２】
【図１】本発明の一実施形態による便器タンク漏水検出装置を給水管上に装着した平面図である。
【図２】本発明の一実施形態による便器タンク漏水検出装置の断面図である。
【図３】本発明の他の実施形態による便器タンク漏水検出装置のもう一側面の断面図である。
【図４】本発明の一実施形態による便器タンク漏水検出装置の便器タンクの漏水状況を示す平面図である。
【図５】本発明の水源が流動室に注入されて、葉状片体を推動する作動図である。
【図６】本発明の一実施形態による便器タンク漏水検出装置のギア室内部に、電子センサーユニットと警報装置を設置する断面図である。
【発明を実施するための形態】
【００１３】
本発明の便器タンク漏水検出装置は、図１のように、給水管１、測水座２、および、検出蓋３から構成される。
給水管１は、便器１１のタンク１２に連通する管体で、且つ、給水管１上に、測水座２を装着する。
【００１４】
図２に示されるように、測水座２は、座体２１、流動室２２、進水口２３、出水口２４、軸棒２５とスリーブ２６から構成される。座体２１上に、流動室２２を形成し、流動室２２の両側は、それぞれ、進水口２３と出水口２４を座体２１上に形成する。進水口２３と出水口２４は、給水管１上に接続され、給水管１の水源が流動室２２中に送入でき、且つ、流動室２２の入口２３１に近い位置に、入口導水ブロック２３２を突出して、入口２３１の口径が妨げられ、水源の流動速度を増強する効果を有し、入口導水ブロック２３２は、流動室２２の内壁方向に傾斜して、水源が流動室２２内壁に沿って流動し、流動室２２の出口２４１近くの位置は、出口導水ブロック２４２を突出し、出口導水ブロック２４２は、出水口２４の内壁方向に傾斜し、水源が、出口導水ブロック２４２に沿って、出水口２４中に導入される(図３)。流動室２２中心は軸棒２５を設置し、軸棒２５上に、スリーブ２６を設置し、スリーブ２６の外壁周囲は、数個の葉状片体２６１を環状に設置し、且つ、スリーブ２６の頂部は、さらに、駆動ギア２６２を設置し、駆動ギア２６２は、検出蓋３のギア室３２中に進入する。
【００１５】
検出蓋３は、蓋体３１、ギア室３２、ギアユニット３３と旋回素子３４から構成され、蓋体３１は、螺合方式で、座体２１上に装着されて、流動室２２を封閉状態にし、且つ、蓋体３１内部は、ギア室３２を形成し、ギア室３３中は、ギアユニット３３を枢設する。ギアユニット３３の一側と駆動ギア２６２は噛合し、ギアユニット３３のもう一側は、旋回素子３４を結合し、旋回素子３４は、蓋体３１の頂面に枢設される。旋回素子３４は星形にすることができ、このほか、蓋体３１頂面は、さらに、透光板３１１を装着して、旋回素子３４が、蓋体３１と透光板３１１間に封閉される。
【００１６】
本発明の使用実施時、便器１１のタンク１２がすでに満タンであるとき、給水管１は注水を停止して、スリーブ２６と葉状片体２６１が回転を停止し、図４と図５に示されるように、便器１１が微量の漏れを生じるとき、給水管１は、タンク１２にゆっくりと注水し、水源は、進水口２３から流動室２２に注入され、水源が、進水口２３の入口２３１を通過すると同時に、入口導水ブロック２３２は、入口２３１の口径を妨げる効果を有するので、微量の水流が、さらに強い水流に増強されて、数個の葉状片体２６１に衝撃を与え、スリーブ２６が、軸棒２５を軸心に回転し、流動室２２内壁に沿って流動する水源は、出口導水ブロック２４２に沿って、出水口２４中に導入されて、タンク１２に注水される。同時に、図３を参照すると、スリーブ２６の回転と同時に、スリーブ２６頂部の駆動ギア２６２は、ギア室３２中のギアユニット３３を回転させ、旋回素子３４が、ギアユニット３３により旋転する。旋回素子３４は蛍光材料で形成したり、あるいは、旋回素子３４外表面に蛍光剤の塗布層を設置したりして、旋回素子３４が便器１１の陰暗箇所で回転するとき、注意を促すことができ、漏水の状況がさらにわかりやすくなる。
【００１７】
図６に示されるように、さらに、ギア室３２内部に、電子センサーユニット４１を設置し、電子センサーユニット４１は、磁場センサーや赤外線センサー等の方式によって、スリーブ２６が回転しているかどうかを検出し、電子センサーユニット４１は、また、ギア室３２内部の警報装置４２と接続され、警報装置４２は警報器４３を接続するとともに、音声、または、発光方式によって、人に注意を呼びかけるか、あるいは、警報装置４２は、無線連結方式のブルートゥースやWiFiにより、携帯端末のスマホやタブレットに接続して、人に通知する。
【００１８】
本発明による構造は、構造は、微量の水源が、出口導水ブロックを有する進水口を通過する時、入口導水ブロックは、進水口の入口口径を妨げる効果があるので、微量の水流を、さらに強い水流にして、流動室に注入し、水流がさらに円滑に、数個の葉状片体を推動する效果を達成し、且つ、スリーブの数個の葉状片体が回転を受けるとき、蓋体上の旋回素子を回転させて、これにより、旋回素子旋転の動作を利用して、便器の水漏れをわかりやすくする。
【００１９】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００２０】
１…給水管
１１…便器
１２…タンク
２…測水座
２１…座体
２２…流動室
２３…進水口
２３１…入口
２３２…入口導水ブロック
２４…出水口
２４１…出口
２４２…出口導水ブロック
２５…軸棒
２６…スリーブ
２６１…葉状片体
２６２…駆動ギア
３…検出蓋
３１…蓋体
３１１…透光板
３２…ギア室
３３…ギアユニット
３４…旋回素子
４１…電子センサーユニット
４２…警報装置
４３…警報器
【図１】
0006294385.tif 000002
【図２】
0006294385.tif 000003
【図３】
0006294385.tif 000004
【図４】
0006294385.tif 000005
【図５】
0006294385.tif 000006
【図６】
0006294385.tif 000007